(57)【要約】【課題】携帯端末の出し入れを円滑に行えるとともに、携帯端末の表面に摺り傷が生じにくい携帯端末の充電装置を提供する。【解決手段】携帯端末３０を充電装置１０の箱部１１に収容する際に、筐体３１を箱部１１の奥行方向に対して直交するとともに互いに対面する一対の案内面１６，１７のうちの一方から他方に向かって筐体３１を付勢する付勢手段１４に、転動部材１５を設けた。このため、携帯端末３０を充電装置１０に出し入れする際に、転動部材１５が携帯端末３０の筐体３１に接触して付勢するとともに転動するため、筐体３１に摺り傷を付けるのを防止することができる。【選択図】図１
2007166716.tif 000002
【特許請求の範囲】
【請求項１】
携帯端末の筐体を収容可能な箱部と、
前記箱部の奥行方向に沿った突当面に配置されて前記筐体に給電可能な一対の給電端子と、
前記箱部の奥行方向に対して直交するとともに互いに対面する一対の案内面のうちの一方から他方に向かって前記筐体を付勢する付勢手段とを備える携帯端末の充電装置であって、
前記付勢手段が、前記筐体に対して接触するとともに転動可能な転動部材を有していることを特徴とする携帯端末の充電装置。
【請求項２】
前記付勢手段が、前記奥行方向に沿って移動可能であることを特徴とする請求項１に記載の携帯端末の充電装置。
【請求項３】
前記各給電端子が前記奥行方向に対して直交する方向に沿って個別に移動可能であることを特徴とする請求項１に記載の携帯端末の充電装置。
【請求項４】
前記転動部材が、前記筐体の表面に接触可能な転動部と、前記転動部の転動軸線に沿った両端部に設けられた凸部とを有していることを特徴とする請求項１に記載の携帯端末の充電装置。
【発明の詳細な説明】
【技術分野】
【０００１】
本発明は携帯端末の充電装置に係り、例えば、携帯端末の筐体内に収納されている充電池を充電するための携帯端末の充電装置に関するものである。
【背景技術】
【０００２】
従来より、携帯端末である携帯電話においては、送受信やカメラ等のその他の機能に必要な電力を得るために、電池が用いられており、電池の効率性および繰り返し使用性の観点から、充電式の電池を用いることが知られている。
このような充電式の電池を用いる場合、使用しない夜間や、電池の残量がすくなった場合には、携帯電話を充電器に接続して充電を行っている（例えば特許文献１参照）。
【０００３】
ところで、宅配便の担当者が配達や集荷の際に常時携帯する携帯端末においても、前述した携帯電話のように、電源として充電式の電池を用いている。このため、業務終了後に営業所の充電装置に差し込んで翌朝まで充電するようになっている。
図９には、従来より用いられている充電装置１００によって充電している状態が示されている。通常、図８に示すように、例えば１０個の充電装置１００が筐体１０１の内部に収容された集合充電装置１０２として使用されており、１度に１０個の携帯端末１０３が充電可能となっている。
【０００４】
図９に示すように、充電装置１００は、携帯端末１０３を挿入する前面パネル１０４を有しており、前面パネル１０４の内側には上ケース１０５Ｕおよび下ケース１０５Ｌからなる箱部１０５を有している。箱部１０５内部の突当面１０５ａには、携帯端末１０３の充電池に電気を供給する一対の充電用端子（図示省略）が設けられている。
下ケース１０５Ｌの奥部には、箱部１０５内部に挿入された携帯端末１０３を上方に向かって付勢する付勢手段である付勢部材１０６が設けられており、先端部には付勢突起１０６ａが設けられている。付勢部材１０６は、回転軸１０７を中心として上下に回動可能に支持されており、先端部はバネ１０８によって上方へ付勢されている。従って、付勢部材１０６の付勢突起１０６ａが携帯端末１０３を適正な位置に押し上げて位置決めし、充電用端子と充電池とを接続するようになっている。下ケース１０５Ｌには、挿入された携帯端末１０３を中央部に導くための斜面１０５ｂが設けられている。
なお、携帯端末１０３が突当面１０５ａまで挿入されると、携帯端末１０３の先端に設けられている保持用突起１０３ａが付勢突起１０６ａによって係止されて、充電用端子と充電池とが接続された状態で、端子同士が離れないようになっている。
【特許文献１】特開平１０−２８３３５号公報
【発明の開示】
【発明が解決しようとする課題】
【０００５】
しかしながら、付勢突起１０６ａはバネ１０８によって常時上方へ付勢されているため、携帯端末１０３を充電装置１００に出し入れする際に、携帯端末１０３の表面（図９では下面）に摺り傷がついてしまい、見栄えが悪いという不都合がある。
また、携帯端末１０３に保持用突起１０３ａを設けなければならないため、携帯端末１０３の外観が悪くなると共に、充電装置１００側の付勢突起１０６ａと、携帯端末側の保持用突起１０３ａとの位置関係および形状を対応させる必要があるので、両者を同時に開発しなければならず、融通が利かずに面倒である。
【０００６】
本発明は、前述した問題点に鑑みてなされたものであり、その目的は、携帯端末の出し入れを円滑に行えるとともに、携帯端末の表面に摺り傷が生じにくい携帯端末の充電装置を提供することにある。
【課題を解決するための手段】
【０００７】
前述した目的を達成するために、本発明は、携帯端末の筐体を収容可能な箱部と、前記箱部の奥行方向に沿った突当面に配置されて前記筐体に給電可能な一対の給電端子と、前記箱部の奥行方向に対して直交するとともに互いに対面する一対の案内面のうちの一方から他方に向かって前記筐体を付勢する付勢手段とを備える携帯端末の充電装置であって、前記付勢手段が、前記筐体に対して接触するとともに転動可能な転動部材を有していることを特徴としている。
【０００８】
このように構成された携帯端末の充電装置においては、携帯端末を充電装置の箱部に収容する際に、箱部の奥行方向に対して直交するとともに互いに対面する一対の案内面のうちの一方から他方に向かって筐体を付勢する付勢手段に、転動部材を設けた。このため、携帯端末を充電装置に出し入れする際に、転動部材が携帯端末の筐体に接触して付勢するとともに転動するため、筐体に摺り傷を付けるのを防止して付勢することができる。
【０００９】
また、本発明は、前記付勢手段が、前記奥行方向に沿って移動可能であることを特徴としている。
【００１０】
このように構成された携帯端末の充電装置においては、充電のために充電装置の箱部に挿入される携帯端末を所定の方向へ付勢する付勢手段が、奥行方向に移動可能であるので、形状が異なる携帯端末にも汎用性を持たせて適用することができる。これに伴い、１種の金型により、適用可能な複数の形状の携帯端末の筐体を製造することができ、開発費用および金型・治具等の投資金額の低減を図ることができる。
【００１１】
また、本発明は、前記各給電端子が前記奥行方向に対して直交する方向に沿って個別に移動可能であることを特徴としている。
【００１２】
このように構成された携帯端末の充電装置においては、箱部の突当面に設けられている給電端子が、奥行方向に対して直交する方向に移動可能であるので、給電箇所が異なる携帯端末に対しても使用することができ、充電装置に汎用性を持たせることができる。
【００１３】
また、本発明は、前記転動部材が、前記筐体の表面に接触可能な転動部と、前記転動部の転動軸線に沿った両端部に設けられた凸部とを有していることを特徴としている。
【００１４】
このように構成された携帯端末の充電装置においては、転動部材の転動部を支持する転動軸線の両端部に、転動軸線方向に突出する凸部を設けたので、転動部材が箱部の内面に接触する面を小さくすることができる。このため、転動抵抗が低減し、携帯端末の出し入れが円滑になる。
【発明の効果】
【００１５】
本発明によれば、筐体を箱部の奥行方向に対して直交するとともに互いに対面する一対の案内面のうちの一方から他方に向かって筐体を付勢する付勢手段に、携帯端末の筐体に接触して転動する転動部材を設けたので、携帯端末の出し入れの際に筐体に摺り傷を付けるのを防止することができるという効果が得られる。
【発明を実施するための最良の形態】
【００１６】
以下、本発明に係る実施形態を図面に基づいて詳細に説明する。
図１は本発明の携帯端末の充電装置に係る実施形態を示す分解斜視図、図２はローラの取付部を示す正面図、図３は箱部の背面に設けられた給電端子を示す背面図、図４は充電装置に携帯端末を挿入して充電する状態を示す側面図、図５は充電装置に形状が異なる携帯端末を挿入して充電する状態を示す側面図、図６は携帯端末の一例を示す表側から見た斜視図、図７は携帯端末の一例を示す裏側から見た斜視図である。
【００１７】
図６および図７には、携帯端末３０の一例が示されている。この携帯端末３０は、筐体３１内に機器（図示省略）を内蔵し、筐体３１の裏面３１ａ下部の電池カバー３２の内側に充電池（図示省略）を収容している。この電池カバー３２は、ロック手段３３によって筐体３１にロックされている。筐体３１は、表面３１ｂの上部に表示部３４を備え、表示部３４の下方に操作部３５を備え、下端部には厚さが増した膨出部３１ｃが設けられている。裏面３１ａの上部には、光学的に伝票等のバーコードを読むコード読取部３６や銘板シート３７を備えている。
また、筐体３１の下端面３１ｄには、電池に接続されている一対の受電端子３８が設けられている。
【００１８】
図１に示すように、本発明の実施形態に係る携帯端末の充電装置１０は、携帯端末３０の筐体３１を収容可能な箱部１１と、箱部１１の奥行方向に沿った突当面１１ａに配置されて筐体３１に給電可能な一対の給電端子１２と、箱部１１の奥行方向に対して直交するとともに互いに対面する一対の案内面である上ケース１６および下ケース１７の内面のうちの一方から他方に向かって筐体３１を付勢する付勢手段１４を備えている。
そして、付勢手段１４が、筐体３１に対して接触するとともに転動可能な転動部材であるローラ１５を有している。
【００１９】
図１に示すように、箱部１１は、上ケース１６および下ケース１７を有しており、前面には前面パネル１８が取り付けられている。前面パネル１８には、常時は閉じているが携帯端末３０を挿入する際に押し込むことにより内側に開く扉（図示省略）を設けることもできる。
また、箱部１１の奥は上ケース１６および下ケース１７の立ち上げ部１６ａ、１７ａ（図４および図５参照）によって突当面１１ａが形成されており、この突当面１１ａには給電端子１２用の切欠き１９が設けられている。箱部１１の内部には、携帯端末３０を挿入すると、携帯端末３０の筐体３１の下端面３１ｄに設けられている受電端子３８が、突当面１１ａの切欠き１９に対向するようになっている。
【００２０】
上ケース１６の内面には、箱部１１に挿入された携帯端末３０の筐体３１を下方へ押し付ける付勢手段１４が設けられており、付勢手段１４の前方の上ケース１６の上内面には、箱部１１に挿入された携帯端末３０がスムーズに付勢手段１４により付勢されるように、傾斜面１６ｃが設けられている（図４および図５参照）。
付勢手段１４では、受け金具２１に回転自在に支持されている転動軸であるローラ軸２２の両端部に転動部材としてのローラ１５が取り付けられており、ローラ軸２２を１対のバネ２３，２３によって下方へ付勢している。
従って、受け金具２１に設けられているローラ軸２２用の軸穴２１ａは、幅がローラ軸２２の直径より僅かに大きく、上下方向に長い長円形となっている。
また、図２に示すように、ローラ１５は、携帯端末３０の筐体３１の表面に接触可能な転動部１５ａと、この転動部１５ａの転動軸線に沿った両端部に設けられた凸部１５ｂとを有している。これにより、一対の凸部１５ｂがそれぞれ箱部１１の内面および受け金具２１に接触することになり、転動抵抗が低減し、携帯端末の出し入れが円滑になる。
【００２１】
図１に示すように、受け金具２１の上面には、受け金具２１を上ケース１６の内面に取り付けるためのネジ穴２１ｂが２列（４個）設けられており、上ケース１６にはネジ２４用の貫通穴１６ｂが２列（４個）設けられている。受け金具２１は、前後２列のいずれかの列の２個のネジ穴２１ｂを用いて、２本のネジ２４、２４によって上ケース１６に取り付けるようになっている。従って、受け金具２１側の前後２列のネジ穴２１ｂと、上ケース１６側の前後２列の貫通穴１６ｂの組み合わせによって、受け金具２１の取付位置は、奥行方向に沿って３通りの位置から選択することができるようになっている。
このため、図４および図５に示すように、奥行方向に形状が異なる携帯端末３０Ｂ、３０Ｃにも汎用性を持たせて適用することができるので、１種類の金型によって複数種の携帯端末３０に適用可能な充電装置１０を製造することができるので、充電装置１０の開発費用および金型・治具等の投資金額の低減を図ることができる。
【００２２】
図１および図３に示すように、箱部１１の突当面１１ａの裏側の背面１１ｂには、箱部１１に挿入された携帯端末３０の受電端子３８に接触して電気を供給するための給電端子１２が設けられている。給電端子１２は、箱部１１の背面１１ｂにネジ２５で取り付けるための幅広の取付け部１２ａを上端部に有し、取付け部１２ａの下側には、バネ性の細幅の端子部１２ｂが設けられている。図１に示すように、端子部１２ｂには屈曲部１２ｃが設けられており、箱部１１の突当面１１ａの切欠き１９から箱部１１内部に突出して、端子部１２ｂのバネ性によって箱部１１に挿入された携帯端末３０の受電端子３８に押し付けられるようになっている。なお、取付け部１２ａには電線（図示省略）が取り付けられており、電線を介して電源に接続されている。
【００２３】
箱部１１の背面１１ｂには、給電端子１２を取り付けるための取付け部１１ｃが上方に突出して設けられている。取付け部１１ｃには、給電端子１２をネジ２５によって取り付けるために、ネジ穴２６が設けられている。なお、ネジ穴２６を複数対（図３においては２対）設けることにより、給電端子１２の奥行方向に直交する方向の位置を個別に変えることができるようにするのが望ましい。また、これに対応して、箱部１１の突当面１１ａに設けられている切欠き１９を横長に形成するようにする。
これにより、本充電装置１０を、受電端子３８の位置が異なる携帯端末３０にも使用することができ、充電装置１０に汎用性を持たせることができる。
【００２４】
図４および図５には、充電装置１０に異なる形状の携帯端末３０Ｂ、３０Ｃを挿入して充電する状態が示されている。
携帯端末３０Ｂ、３０Ｃでは、膨出部３１ｃの形状や大きさが異なる。このため、付勢手段１４の位置を前後に調整して、両方の携帯端末３０Ｂ、３０Ｃに適応している。すなわち、図４においては、膨出部３１ｃが小さく端部に近い位置にあるので、付勢手段１４を右側の列の貫通穴１６ｂを用いて上ケース１６に取り付けてある。一方、図５においては、膨出部３１ｃが長いので、左側の列の貫通穴１６ｂを用いて付勢手段１４を取り付けてある。なお、付勢手段１４の受け金具２１に設けられているネジ穴２１ｂの列を変えることにより、さらに付勢手段１４の位置を調整できることは前述したとおりである。また、図示はしないが、両方の携帯端末３０Ｂ、３０Ｃにおいて受電端子３８の位置が異なる場合には、給電端子１２の取付位置を調整して、対応することができる。
【００２５】
以上、このように構成された携帯端末の充電装置１０においては、携帯端末３０を充電装置１０の箱部１１に収容する際に、箱部１１の奥行方向に対して直交するとともに互いに対面する上ケース１６から下ケース１７に向かって筐体３１を付勢する付勢手段１４に、ローラ１５を設けた。このため、携帯端末３０を充電装置１０に出し入れする際に、ローラ１５が携帯端末３０の筐体３１に接触して付勢するとともに転動するため、筐体３１に摺り傷を付けるのを防止することができる。
【００２６】
なお、本発明の携帯端末の充電装置は、前述した実施形態に限定されるものでなく、適宜な変形，改良等が可能である。
例えば、前述した実施形態において、上ケース１６の内面に付勢手段１４を設けて、携帯端末３０を下方へ押し付けるようにしたが、下ケース１７に付勢手段１４を設けて、上方へ付勢するようにすることも可能である。
また、付勢手段１４の取付け用の貫通穴１６ｂやネジ穴２１ｂを奥行方向に２列設けたが、３列以上も受けることも可能である。また、貫通穴１６ｂを１個の長孔にして、無段階で調整できるようにすることも可能である。さらに、給電端子１２のネジ穴２６についても同様である。
また、図８において前述したように、複数個の充電装置１０を収容した集合充電装置１０２として用いることができる。
【産業上の利用可能性】
【００２７】
以上のように、本発明に係る携帯端末の充電装置は、箱部の奥行方向に対して直交するとともに互いに対面する一対の案内面のうちの一方から他方に向かって筐体を付勢する付勢手段に、携帯端末の筐体に接触して転動する転動部材を設けたので、携帯端末の筐体に摺り傷を付けるのを防止することができるという効果を有し、例えば、携帯端末の筐体内に収納されている充電池を充電するための携帯端末の充電装置等として有用である。
【図面の簡単な説明】
【００２８】
【図１】本発明の携帯端末の充電装置に係る実施形態を示す分解斜視図である。
【図２】ローラの取付部を示す正面図
【図３】箱部の背面に設けられた給電端子を示す背面図
【図４】充電装置に携帯端末を挿入して充電する状態を示す側面図
【図５】充電装置に形状が異なる携帯端末を挿入して充電する状態を示す側面図である。
【図６】携帯端末の一例を示す表側から見た斜視図
【図７】携帯端末の一例を示す裏側から見た斜視図である。
【図８】集合充電装置を示す斜視図である。
【図９】従来の携帯端末の充電装置である。
【符号の説明】
【００２９】
１０  充電装置
１１  箱部
１１ａ  突当面
１２  給電端子
１４  付勢手段
１５  ローラ（転動部材）
１５ａ  転動部
１５ｂ  凸部
２２  ローラ軸（転動軸）
３０  携帯端末
３１  筐体
【図１】
2007166716.tif 000003
【図２】
2007166716.tif 000004
【図３】
2007166716.tif 000005
【図４】
2007166716.tif 000006
【図５】
2007166716.tif 000007
【図６】
2007166716.tif 000008
【図７】
2007166716.tif 000009
【図８】
2007166716.tif 000010
【図９】
2007166716.tif 000011